(57)【要約】【課題】  本発明は、圧縮機を装着させる構造を改善して圧縮機の駆動中に発生する振動が圧縮機が装着された製品に伝達されることを低減させるように構成された圧縮機の装着装置を提供することを目的とする。【解決手段】  本発明に係る圧縮機の装着装置においては、圧縮機の一面に設置されて複数個の穴部が形成された支持板と、前記圧縮機が装着される支持面から延長されて、該支持板の穴部を通過するように突出形成される複数個の支持部材と、これら支持部材の一方端を覆いかぶせながらその内周面が該支持部材と所定間隔を置いて前記穴部に挿入されて前記支持板を弾性支持する複数個の弾性部材と、を包含して構成されることを特徴とする。【選択図】      図１
2006177296.tif 000002
【特許請求の範囲】
【請求項１】
圧縮機の一面に設置されて複数個の穴部が形成された支持板と、
前記圧縮機が装着される支持面から延長されて、前記支持板の穴部を通過するように突出形成される複数個の支持部材と、
これら支持部材の一方端を覆いかぶせながらその内周面が前記支持部材と所定間隔を置いて前記穴部に挿入されて前記支持板を弾性支持する複数個の弾性部材と、を包含して構成される、ことを特徴とする圧縮機の装着装置。
【請求項２】
前記支持部材は、
前記支持面に固定された第１端と、
前記支持面に垂直するように前記第１端から前記穴部を通過するように延長される体部と、
前記体部から拡張されるように延長されて前記弾性部材を支持する第２端と、を包含して構成される、ことを特徴とする請求項１に記載の圧縮機の装着装置。
【請求項３】
前記弾性部材は、
前記支持部材の第２端とその面接触する第１部と、
前記支持部材とその内周面が所定間隙を置きながら前記第１部から前記穴部を通過するように延長形成される第２部と、
前記第２部の開放された一方端の外周面から突出形成され、前記支持板の穴部の枠を支持する第３部と、を包含して構成される、ことを特徴とする請求項２に記載の圧縮機の装着装置。
【請求項４】
前記支持部材の第２端は、球状に形成される、ことを特徴とする請求項２に記載の圧縮機の装着装置。
【請求項５】
前記支持部材の第２端は、四角状に形成される、ことを特徴とする請求項２に記載の圧縮機の装着装置。
【請求項６】
前記弾性部材の第３部は、前記第２部の長さ方向に沿って所定間隔を置いて複数個突出形成される、ことを特徴とする請求項３に記載の圧縮機の装着装置。
【請求項７】
前記弾性部材の第３部は、前記第２部の長さ方向に沿って所定間隔を置いて二つが突出形成される、ことを特徴とする請求項６に記載の圧縮機の装着装置。
【請求項８】
前記弾性部材は、ゴム材質から成る、ことを特徴とする請求項１に記載の圧縮機の装着装置。
【請求項９】
前記圧縮機は、
ケーシングと、
前記ケーシングの内部に位置して直線往復駆動力を発生させる往復動式モータ、前記往復動式モータの駆動力の伝達を受けて直線運動を行って流体を圧縮するピストンを有する圧縮ユニット、及び前記ピストンを弾力支持して該ピストンの共振運動を誘導する共振スプリングを含んでなる圧縮機の本体と、
を包含して構成される、ことを特徴とする請求項１に記載の圧縮機の装着装置。
【発明の詳細な説明】
【技術分野】
【０００１】
本発明は、圧縮機の装着装置に係るもので、詳しくは、圧縮機の駆動中に発生する振動が圧縮機が装着された製品に伝達されることを減殺させるように構成された圧縮機の装着装置に関するものである。
【背景技術】
【０００２】
一般に、冷凍サイクル装置を構成する圧縮機は、蒸発器から流入される低温低圧状態の冷媒を圧縮させて高温高圧の状態に吐出させる機器である。圧縮機は、流体を圧縮する方式によって回転式圧縮機、往復動式圧縮機、スクロール圧縮機等に分類されて、このような圧縮機は、普通、密閉容器と、該密閉容器の内部に装着されて駆動力を発生させる電動部と、該電動機構部の駆動力の伝達を受けてガスを圧縮させる圧縮部と、を包含して構成される。
【０００３】
特に、前記往復動式圧縮機は、直線的に往復運動する駆動力を発生させる往復動式モータ及び該往復動式モータの駆動力の伝達を受けて流体を圧縮する圧縮ユニットなどが組立された組立体から成る圧縮機の本体が流体を吸入して圧縮して吐出させるようになる。
【０００４】
従来の往復動式圧縮機においては、図４及び図５に示したように、ケーシング１０と、該ケーシング１０の内部に位置して直線往復駆動力を発生させる往復動式モータ及び該往復動式モータの駆動力の伝達を受けて流体を圧縮する圧縮ユニットなどが組立された組立体から成る圧縮機の本体２０と、前記圧縮機の本体２０を前記ケーシング１０に弾性支持することで、往復動式圧縮機の駆動時に発生する振動を低減させる複数個のコイルスプリング３０と、を包含して構成されていた。
【０００５】
また、前記コイルスプリング３０は、前記圧縮機の本体２０と前記ケーシング１１の内面に夫々対向するように形成された複数個の固定部４１に固定されて、前記圧縮機１０の振動によって伸縮される。上記のように構成された圧縮機１０を空調機及び冷蔵庫等のような製品の内部に装着させるための圧縮機の装着装置６０の構造について、次に説明する。
【０００６】
前記圧縮機１０の底面には、各端部に結合穴部５１aが形成された支持板５１が形成され、前記各結合穴部５１aには、ゴムのような弾性部材５２が挿入されて前記支持板５１を弾力支持する。
【０００７】
また、前記弾性部材５２は、前記圧縮機１０が装着される支持面bに所定高さに突出された固定ピン５３に挿入されて固定されるようにその中央部に貫通孔５２aが形成され、その上側部には、前記結合穴部５１aに挟まれて固定されるように突条部５２bが形成され、その中間部には、前記圧縮機の振動が支持面bに伝達されることを低減させるように振動低減層５２cが形成される。
【０００８】
また、前記固定ピン５３に挿入された弾性部材５２が離脱されることを防止するため、前記固定ピン５３の端部に形成された係止突条５３aに挿入されて前記弾性部材５２の突条部５２bを支持するストッパー５４が装着される。
【０００９】
未説明の符号である１３は、前記圧縮機の本体２０に冷媒が流入されるように案内する吸入管であって、１４は、前記圧縮機の本体２０により圧縮された冷媒が吐出される吐出管である。
【００１０】
以下、上記のように構成された従来の往復動式圧縮機の動作について、次に説明する。
【００１１】
従来の圧縮機の本体２０を構成する往復動式モータは、直線往復駆動力が発生されて該駆動力の伝達を受けて圧縮ユニットで流体を吸入して圧縮して吐出させるようになる。
このような過程を反復的に持続する過程で前記圧縮機の本体２０を形成する往復動式モータと圧縮ユニットの駆動により振動が発生され、該振動は、前記固定部４１によりその両端部が支持されるコイルスプリングにより低減されると同時に、前記ケーシング１０に伝達される振動が低減される。
【００１２】
そして、前記固定ピン５３に挿入されて前記支持板５１の結合穴部５１aに挟まれた弾性部材５２が前記圧縮機が装着された支持面bにその振動が伝えられることを防止する。
【発明の開示】
【発明が解決しようとする課題】
【００１３】
然るに、このように構成された従来の圧縮機の装着装置においては、圧縮機の振動を吸収するために弾性部材を使用したが、該弾性部材の中心に前記固定ピンが挿入され、該弾性部材の一方端が前記支持板の結合穴部に挿入固定される構造に形成されるため、前記圧縮機の振動によって前記弾性部材が圧縮及び伸張される変形の範囲が制限的であるという不都合な点があった。
【００１４】
また、前記圧縮機の振動は、前記弾性部材に全て吸収されなくて前記固定ピンを通って前記支持面に伝達されるという不都合な点があった。
且つ、従来の往復動式圧縮機の場合、前記支持面に垂直した方向の振動だけでなく前記支持面に水平した方向の振動が発生するが、上記のように構造的に弾性部材の動き及び変形の制限があるため、前記水平方向の振動を全的に吸収し得ないという不都合な点があった。
【００１５】
また、前記支持面に垂直した方向の圧縮機振動も前記支持面と接触している弾性部材を通って前記支持面に伝達されるという不都合な点があった。
【００１６】
本発明は、上記のような問題点に鑑みて成されたもので、圧縮機を装着させる構造を改善して圧縮機の駆動中に発生する振動が圧縮機が装着された製品に伝達されることを低減させるように構成された圧縮機の装着装置を提供することを目的とする。
【課題を解決するための手段】
【００１７】
前記のような本発明に係る目的を達成するため、本発明に係る圧縮機の装着装置においては、圧縮機の一面に設置されて、複数個の穴部が形成された支持板と、前記圧縮機が装着される支持面から延長されて、前記支持板の穴部を通過するように突出形成される複数個の支持部材と、これら支持部材の一方端を覆いかぶせながらその内周面が該支持部材と所定間隔を置いて前記穴部に挿入されて前記支持板を弾性支持する複数個の弾性部材と、を包含して構成されることを特徴とする。
【発明の効果】
【００１８】
本発明に係る圧縮機の装着装置においては、前記圧縮機の振動を吸収する弾性部材がその動き及び弾性変形が自由に設置されることで、前記圧縮機が装着される支持面に対して垂直した方向及び水平した方向に発生する前記圧縮機の振動だけではなく、その以外の他の方向から発生する振動でも、より效果的に減殺し得るという効果がある。
【００１９】
また、本発明に係る圧縮機の装着装置においては、前記圧縮機から発生する振動を減殺させることで、該圧縮機が装着される空調機及び冷蔵庫のような製品の静粛性及び信頼性を向上し得るという効果がある。
【発明を実施するための最良の形態】
【００２０】
以下、本発明に係る第１実施形態に係る圧縮機の装着装置に対し、説明する。
本発明に係る第１実施形態に係る圧縮機の装着装置が適用された圧縮機においては、図１及び図２に示したように、圧縮機の装着装置は、圧縮機１０の一面に設置されて複数個の穴部１５３aが形成された支持板１５３と、前記圧縮機１０が装着される支持面から延長されて、前記支持板１５３の穴部１５３aを通過するように突出形成される複数個の支持部材１５１と、該各支持部材１５１の一方端を覆いかぶせながらその内周面が該支持部材１５１と所定間隔を置いて前記穴部１５３aに挿入されて前記支持板１５３を弾性支持する複数個の弾性部材１５２と、を包含して構成されている。
【００２１】
また、前記穴部１５３aは、前記支持板１５３の四つの各隅部に夫々形成され、穴部１５３aに前記弾性部材１５２が夫々挿入されて、前記支持部材１５１も前記穴部１５３aの装着位置と対応されるように前記支持面bに夫々形成されることが好ましい。また、設計変更によって装着構造の形成位置は多様に変形可能である。
【００２２】
前記各支持部材１５１は、前記支持面bに固定された第１端１５１aと、前記支持面bに垂直するように前記第１端１５１aから前記穴部１５３aを通過するように延長される体部１５１bと、該体部１５１bから拡張されるように延長されて前記弾性部材１５２を支持する第２端１５１cと、を包含して構成される。
【００２３】
また、前記支持部材１５１の第２端１５１cは、球状に形成されて、前記弾性部材１５２によって覆いかぶせられる。
【００２４】
また、前記各弾性部材１５２は、前記支持部材１５１の第２端１５１cと前記弾性部材１５２の面接触する第１部１５２aと、前記支持部材１５１と前記弾性部材１５２の内周面が所定間隙を置きながら前記第１部１５２aから前記穴部１５３aを通過するように延長形成される第２部１５２bと、該第２部１５２bの開放された一方端外周面から突出形成されて前記支持板１５３の穴部１５３aの枠を支持する第３部１５２cと、を包含して構成される。
【００２５】
即ち、前記弾性部材１５２は、所定の内部空間を有するコップ形状に形成され、前記支持部材１５１の第２端１５１cを覆いかぶせるように設置されて、前記穴部１５３aを通って挿入された前記弾性部材１５２の第２部１５２bの一方端の外周面に突出形成された第３部１５２cによって前記圧縮機の一面に形成された前記支持板１５３が支持される。従って、前記圧縮機の荷重は、前記弾性部材及び支持部材を通って效果的に分散される。
【００２６】
そして、前記弾性部材１５２が覆いかぶせる前記支持部材１５１の第２端１５１cは、前記支持部材１５１の体部１５１bからその直径及び面積が拡張されるように形成されることで、前記支持板１５３の穴部１５３aに挿入されて前記支持部材１５１により支持される前記弾性部材１５２が離脱されることを防止するようになる。
【００２７】
また、該弾性部材１５２が前記圧縮機の振動によって動いて変形される範囲が、より自由であるように該弾性部材１５２の第２部１５２bの内周面と前記支持部材１５１の体部１５１b間は所定間隔が形成され、前記弾性部材１５２の開放の一方端に形成された第３部１５２cは、前記支持面bから所定距離離隔されるようになる。
【００２８】
また、前記弾性部材１５２の第３部１５２cは、前記圧縮機１０の荷重を支持すると共に、前記圧縮機の振動中に前記支持面に垂直になる方向の振動を效果的に吸収するように前記弾性部材１５２の第２部１５２bの長さ方向に沿って所定間隔を置いて複数個突出形成されることが好ましい。図２は、前記弾性部材の第３部が二つ突出形成されたことを示している。
【００２９】
前記弾性部材は、ゴム材質から成ることが好ましいが、伸縮性のある他の弾性材質に形成されることも可能である。
【００３０】
また、本発明に係る他の実施形態に係る圧縮機の装着装置においては、図３に示したように、圧縮機１０の一面に設置されて複数個の穴部１５３aが形成された支持板１５３と、前記圧縮機１０が装着される支持面から延長されて前記支持板１５３の穴部１５３aを通過するように突出形成される複数個の支持部材２５１と、これら支持部材２５１の一方端を覆いかぶせながらその内周面が該支持部材２５１と所定間隔を置いて前記穴部２５３aに挿入されて前記支持板１５３を弾性支持する複数個の弾性部材２５２と、を包含して構成されている。
【００３１】
また、前記各支持部材２５１は、前記支持面bに固定された第１端２５１aと、前記支持面bに垂直するように前記第１端２５１aから前記穴部２５３aを通過するように延長される体部２５１bと、該体部２５１bから拡張されるように延長されて前記弾性部材２５２を支持する第２端２５１cと、を包含して構成される。
【００３２】
また、前記各弾性部材２５２は、前記支持部材２５１の第２端２５１cと前記弾性部材２５２の面接触する第１部２５２aと、前記支持部材２５１と前記弾性部材２５２の内周面が所定間隙を置きながら前記第１部２５２aから前記穴部２５３aを通過するように延長形成される第２部２５２bと、該第２部２５２bの開放された一方端外周面から突出形成されて前記支持板１５３の穴部１５３aの枠を支持する第３部２５２cと、を包含して構成される。
【００３３】
ここで、前記支持部材２５１の第２端２５１cは、四角状に形成され、前記弾性部材２５２により覆いかぶせられる。即ち、前記支持部材２５１の第２端２５１cと前記弾性部材２５２の第１部２５２aが前記支持面bに水平した方向に接触する面積が増加するようになることで、前記支持面bに垂直した方向に前記圧縮機１０の荷重の分散効果が大きくなることで、前記圧縮機１０から発生する振動の吸収が向上されることができる。
【００３４】
上記した本発明に係る他の実施形態に係る圧縮機の装着装置の他の構成的な特徴は、上記した本発明に係る第１実施形態と同一であるため、詳細な説明は省略する。
【００３５】
一方、前記圧縮機の装着装置６０、１６０が適用される圧縮機は、全種類の圧縮機に適用が可能であるが、特に、ケーシング１０と、該ケーシング１０の内部に位置して直線往復駆動力を発生させる往復動式モータ、該往復動式モータの駆動力の伝達を受けて直線運動を行って流体を圧縮するピストンを有する圧縮ユニット、及び前記ピストンを弾力支持して該ピストンの共振運動を誘導する共振スプリングを含んでなる圧縮機の本体２０と、該圧縮機の本体２０を前記ケーシング１０に弾性支持させることにより、往復動式圧縮機の駆動時に発生する振動を低減させる複数個のコイルスプリング３０と、を包含して構成される往復動式圧縮機に適用されることが好ましい。
【００３６】
以下、このように構成される本発明に係る圧縮機の装着装置の作動に対し、説明する。
前記圧縮機１０が吸入管１３を通ってガスを吸入して圧縮した後、吐出管１４の枠を通ってガスを排出させながら前記圧縮機１０が振動するようになる。該圧縮機１０の振動は、該圧縮機１０の支持板１５３に形成された各穴部１５３aに前記支持板１５３を支持するように挿入されると共に、前記支持面bから突出形成される複数個の支持部材１５１、２５１に支持される複数個の弾性部材１５２、２５２を通って吸収される。
【００３７】
この時、前記弾性部材１５２、２５２は、前記支持部材１５１、２５１の体部１５１b、２５１bと所定間隔を置いて設置され、また前記支持面bとも所定間隔を置いて設置されるため、その変形しうる範囲は大きい。従って、前記弾性部材１５２、２５２は、前記圧縮機１０の振動、特に、前記支持面bに対して水平、垂直した方向に発生する圧縮機１０の振動によって拘束されることなく、自由に動けるようになる。また、前記弾性部材１５２、２５２は、前記圧縮機１０の振動を、より效果的に吸収し得るようになる。
【００３８】
また、前記弾性部材１５２、２５２が前記支持面bに接触されないため、該支持面bに対して垂直した方向に発生する前記圧縮機１０の振動は、前記支持面bに直接的に伝えられなく、效果的に前記弾性部材１５２、２５２により吸収される。
【図面の簡単な説明】
【００３９】
【図１】本発明に係る第１実施形態に係る圧縮機の装着装置が適用された圧縮機の断面図である。
【図２】本発明の第１実施形態に係る圧縮機の装着装置を示した拡大図である。
【図３】本発明の他の実施形態に係る圧縮機の装着装置を示した拡大図である。
【図４】従来の圧縮機の装着装置が適用された圧縮機の断面図である。
【図５】従来の圧縮機装着装置を示した拡大図である。
【符号の説明】
【００４０】
１５１、２５１    支持部材
１５２、２５２    弾性部材
１５３    支持板
１５３a    穴部
【図１】
2006177296.tif 000003
【図２】
2006177296.tif 000004
【図３】
2006177296.tif 000005
【図４】
2006177296.tif 000006
【図５】
2006177296.tif 000007